(57)【要約】【課題】記録紙にユーザ固有のＩＤ画像を合成印刷し、ＩＤ画像を読み取って記録紙（印刷物）の取り忘れをユーザに通知する機能を、簡単な装置構成で実現可能な画像形成装置を提供する。【解決手段】画像形成装置１は、画像データとユーザ固有のＩＤ画像データとを記録紙に合成印刷する画像形成部３と、画像形成部３により画像データとＩＤ画像データが合成印刷された記録紙を排紙・堆積させる排紙トレイ６３と、排紙トレイ６３に堆積された記録紙のＩＤ画像を読み取るＩＤ画像読取手段５２とを備え、ＩＤ画像読取手段５２により読み取ったＩＤ画像に対応するユーザ指定の外部機器に排紙トレイ６３の記録紙を取り除くように通知する。画像形成部３は、記録紙に画像データを印刷すると共に、記録紙の端部にＩＤ画像データを印刷し、ＩＤ画像読取手段５２は、排紙トレイ６３に記録紙が堆積された状態で、記録紙端部のＩＤ画像を読み取る。【選択図】図１
2008107520.tif 000002
【特許請求の範囲】
【請求項１】
画像データとユーザ固有のＩＤ画像データとを記録紙に合成印刷する画像形成手段と、該画像形成手段により画像データとＩＤ画像データが合成印刷された記録紙を排紙・堆積させる排紙手段と、該排紙手段に堆積された記録紙のＩＤ画像を読み取る読取手段とを備え、該読取手段により読み取ったＩＤ画像に対応するユーザ指定の外部機器に前記排紙手段の記録紙を取り除くように通知する画像形成装置であって、
前記画像形成手段は、記録紙に画像データを印刷すると共に、該記録紙の端部にＩＤ画像データを印刷し、
前記読取手段は、前記排紙手段に記録紙が堆積された状態で、該記録紙端部のＩＤ画像を読み取ることを特徴とする画像形成装置。
【請求項２】
請求項１に記載の画像形成装置において、前記画像形成手段は、ＩＤ画像データを各記録紙の記録紙搬送方向先端を除く３辺のいずれかに印刷することを特徴とする画像形成装置。
【請求項３】
請求項２に記載の画像形成装置において、前記画像形成手段は、ＩＤ画像データを各記録紙の記録紙搬送方向後端に印刷することを特徴とする画像形成装置。
【請求項４】
請求項３に記載の画像形成装置において、前記排紙手段は、前記画像形成手段によりＩＤ画像データが印刷された各記録紙後端を当接させる整合面と、該整合面に対して傾斜した記録紙載置面とを備え、
前記読取手段は、前記整合面を介して前記排紙手段に堆積された各記録紙後端のＩＤ画像を読み取ることを特徴とする画像形成装置。
【請求項５】
請求項４に記載の画像形成装置において、前記排紙手段に堆積された各記録紙後端が互いにずれた状態で整合させる整合手段を備え、
前記排紙手段は、前記整合手段により各記録紙後端のＩＤ画像が露出した状態で該各記録紙を堆積させることを特徴とする画像形成装置。
【請求項６】
請求項２に記載の画像形成装置において、前記画像形成手段は、ＩＤ画像データを各記録紙の記録紙搬送方向側端の少なくとも一方に印刷することを特徴とする画像形成装置。
【請求項７】
請求項６に記載の画像形成装置において、前記排紙手段は、前記画像形成手段によりＩＤ画像データが印刷された各記録紙側端を当接させる２つの整合板を備え、
前記読取手段は、前記２つの整合板のいずれか一方が備える読み取り窓を介して前記排紙手段に堆積された各記録紙側端のＩＤ画像を読み取ることを特徴とする画像形成装置。
【請求項８】
請求項７に記載の画像形成装置において、前記２つの整合板を傾斜させる整合板駆動手段を備え、
前記排紙手段は、前記整合板駆動手段により各記録紙側端のＩＤ画像が露出した状態で該各記録紙を堆積させることを特徴とする画像形成装置。
【請求項９】
請求項６に記載の画像形成装置において、前記排紙手段は、前記画像形成手段によりＩＤ画像データが印刷された各記録紙側端をガイドする整合板と、該整合板に各記録紙側端が当接するように記録紙の位置を調整する位置調整手段とを備え、
前記読取手段は、前記整合板が備える読み取り窓を介して前記排紙手段に堆積された各記録紙側端のＩＤ画像を読み取ることを特徴とする画像形成装置。
【請求項１０】
請求項９に記載の画像形成装置において、前記整合板を傾斜させる整合板駆動手段を備え、
前記排紙手段は、前記整合板駆動手段により各記録紙側端のＩＤ画像が露出した状態で該各記録紙を堆積させることを特徴とする画像形成装置。
【請求項１１】
請求項１乃至１０のいずれか１項に記載の画像形成装置において、前記読取手段あるいは前記排紙手段を昇降させる昇降手段を備え、
前記読取手段は、前記昇降手段による前記読取手段あるいは前記排紙手段の昇降中に、前記排紙手段に堆積された各記録紙のＩＤ画像を読み取ることを特徴とする画像形成装置。
【請求項１２】
請求項１乃至１１のいずれか１項に記載の画像形成装置において、前記読取手段は、前記画像形成手段による画像形成完了後から、前記排紙手段に記録紙が放置された状態で所定時間経過したときに、前記排紙手段の記録紙の読み取り処理を実行することを特徴とする画像形成装置。
【請求項１３】
請求項１乃至１２のいずれか１項に記載の画像形成装置において、前記排紙手段に堆積された記録紙が所定枚数以上になると、ユーザ指定の外部機器に前記排紙手段の記録紙を取り除くように通知することを特徴とする画像形成装置。
【請求項１４】
請求項１乃至１３のいずれか１項に記載の画像形成装置において、前記画像形成手段は、ＩＤ画像データを記録紙両面の同じ位置に印刷することを特徴とする画像形成装置。
【請求項１５】
請求項１乃至１４のいずれか１項に記載の画像形成装置において、ＩＤ画像データはバーコードであることを特徴とする画像形成装置。
【発明の詳細な説明】
【技術分野】
【０００１】
本発明は、画像形成装置、より詳細には、記録紙にユーザ固有のＩＤ画像を合成印刷し、該ＩＤ画像を読み取って記録紙（印刷物）の取り忘れをユーザに通知する機能を備えた画像形成装置に関する。
【背景技術】
【０００２】
一般に、パーソナルコンピュータ（ＰＣ）などの端末装置にネットワーク等を介して接続され、端末装置から送信された画像データを画像形成（印刷）する画像形成装置が知られている。例えば、ユーザは端末装置で作成した画像データを印刷するときに、端末装置を操作して、印刷命令を画像形成装置へ送信する。この印刷命令を受けた画像形成装置は、端末装置からの画像データに基づいて記録紙に印刷を行い、画像が形成された印刷物を所定の排紙トレイに排紙する。
【０００３】
そして、ユーザは、画像形成装置の排紙トレイを直接目視することにより、画像形成が完了して印刷物が排紙トレイに排紙されているかどうかを確認する。排紙されていれば、ユーザは排紙トレイから自身の印刷物を取り出してその印刷物を手に入れる。このように、ユーザは印刷物が画像形成装置の排紙トレイに排紙されたかどうかを知りたい場合、常時あるいは任意のタイミングで排紙トレイを直接目視して確認する必要があり、ユーザにとっては面倒な作業になっていた。
【０００４】
一方、ユーザが印刷物を排紙トレイから取り除くことを忘れた場合、その印刷物が排紙トレイに長時間放置されることになる。そのため、もし悪意の第三者が存在した場合、放置された印刷物から内容が盗み見されたり、あるいは取り去られたりして、重要な情報が漏洩する危険性が高くなる。更に、排紙トレイの許容排紙量を超えると堆積量検知手段により検知され印刷が中断するよう構成されているので、放置された印刷物がたまっていくと、ついには上述のように排紙トレイの許容排紙量を超えて印刷が中断してしまうなどの問題を引き起こしていた。
【０００５】
従来、印刷物の取り忘れを通知する技術として、ユーザ毎に排紙トレイを設け、各排紙トレイに印刷物が排紙されてから一定時間放置された場合に、排紙トレイに対応するユーザに印刷物が放置されている旨の通知を行う方法が知られている。しかし、この方法では、排紙トレイがユーザの数だけ必要となり、多数のユーザに対応するためには画像形成装置が大型化してしまうという問題がある。また、画像形成装置を大型化せずに実施する場合、少数の排紙トレイに応じた少数のユーザに限定されてしまうという問題がある。
【０００６】
上記問題に対して、例えば、特許文献１には、装置構成を大型化することなく、また、多数のユーザが利用可能な画像形成装置であって、印刷物が長時間放置されないように、印刷物取り忘れ通知機能を備えた画像形成装置が記載されている。この画像形成装置は、ＰＣからの画像データと共にＰＣを使用するユーザの識別コードを画像形成する画像形成部と、画像形成部により画像形成した印刷物を一時滞留する滞留トレイと、滞留トレイに滞留された印刷物の識別コードを読み取る原稿読取部と、原稿読取部に印刷物を搬送する搬送装置と、原稿読取部で読み取った識別コードに基づいて画像形成を行ったユーザに印刷物を取り除くようＰＣに通知する通知手段とを備える。
【特許文献１】特開２０００−１５５５０６号公報
【発明の開示】
【発明が解決しようとする課題】
【０００７】
しかしながら、上記特許文献１に記載の画像形成装置の場合、印刷物（滞留トレイ）を読取手段に搬送する搬送装置を備える必要があるため、装置構成、特に読取機構が複雑且つ大掛かりなものになってしまうという問題がある。
【０００８】
本発明は、上述のごとき実情に鑑みてなされたものであり、記録紙にユーザ固有のＩＤ画像を合成印刷し、該ＩＤ画像を読み取って記録紙（印刷物）の取り忘れをユーザに通知する機能を、簡単な装置構成で実現可能な画像形成装置を提供すること、を目的とする。
【課題を解決するための手段】
【０００９】
上記課題を解決するために、本発明の第１の技術手段は、画像データとユーザ固有のＩＤ画像データとを記録紙に合成印刷する画像形成手段と、画像形成手段により画像データとＩＤ画像データが合成印刷された記録紙を排紙・堆積させる排紙手段と、排紙手段に堆積された記録紙のＩＤ画像を読み取る読取手段とを備え、読取手段により読み取ったＩＤ画像に対応するユーザ指定の外部機器に排紙手段の記録紙を取り除くように通知する画像形成装置であって、画像形成手段は、記録紙に画像データを印刷すると共に、記録紙の端部にＩＤ画像データを印刷し、読取手段は、排紙手段に記録紙が堆積された状態で、記録紙端部のＩＤ画像を読み取ることを特徴としたものである。
【００１０】
第２の技術手段は、第１の技術手段において、画像形成手段は、ＩＤ画像データを各記録紙の記録紙搬送方向先端を除く３辺のいずれかに印刷することを特徴としたものである。
【００１１】
第３の技術手段は、第２の技術手段において、画像形成手段は、ＩＤ画像データを各記録紙の記録紙搬送方向後端に印刷することを特徴としたものである。
【００１２】
第４の技術手段は、第３の技術手段において、排紙手段は、画像形成手段によりＩＤ画像データが印刷された各記録紙後端を当接させる整合面と、整合面に対して傾斜した記録紙載置面とを備え、読取手段は、整合面を介して排紙手段に堆積された各記録紙後端のＩＤ画像を読み取ることを特徴としたものである。
【００１３】
第５の技術手段は、第４の技術手段において、排紙手段に堆積された各記録紙後端が互いにずれた状態で整合させる整合手段を備え、排紙手段は、整合手段により各記録紙後端のＩＤ画像が露出した状態で各記録紙を堆積させることを特徴としたものである。
【００１４】
第６の技術手段は、第２の技術手段において、画像形成手段は、ＩＤ画像データを各記録紙の記録紙搬送方向側端の少なくとも一方に印刷することを特徴としたものである。
【００１５】
第７の技術手段は、第６の技術手段において、排紙手段は、画像形成手段によりＩＤ画像データが印刷された各記録紙側端を当接させる２つの整合板を備え、読取手段は、２つの整合板のいずれか一方が備える読み取り窓を介して排紙手段に堆積された各記録紙側端のＩＤ画像を読み取ることを特徴としたものである。
【００１６】
第８の技術手段は、第７の技術手段において、２つの整合板を傾斜させる整合板駆動手段を備え、排紙手段は、整合板駆動手段により各記録紙側端のＩＤ画像が露出した状態で各記録紙を堆積させることを特徴としたものである。
【００１７】
第９の技術手段は、第６の技術手段において、排紙手段は、画像形成手段によりＩＤ画像データが印刷された各記録紙側端をガイドする整合板と、整合板に各記録紙側端が当接するように記録紙の位置を調整する位置調整手段とを備え、読取手段は、整合板が備える読み取り窓を介して排紙手段に堆積された各記録紙側端のＩＤ画像を読み取ることを特徴としたものである。
【００１８】
第１０の技術手段は、第９の技術手段において、整合板を傾斜させる整合板駆動手段を備え、排紙手段は、整合板駆動手段により各記録紙側端のＩＤ画像が露出した状態で各記録紙を堆積させることを特徴としたものである。
【００１９】
第１１の技術手段は、第１乃至第１０のいずれか１の技術手段において、読取手段あるいは排紙手段を昇降させる昇降手段を備え、読取手段は、昇降手段による読取手段あるいは排紙手段の昇降中に、排紙手段に堆積された各記録紙のＩＤ画像を読み取ることを特徴としたものである。
【００２０】
第１２の技術手段は、第１乃至第１１のいずれか１の技術手段において、読取手段は、画像形成手段による画像形成完了後から、排紙手段に記録紙が放置された状態で所定時間経過したときに、排紙手段の記録紙の読み取り処理を実行することを特徴としたものである。
【００２１】
第１３の技術手段は、第１乃至第１２のいずれか１の技術手段において、排紙手段に堆積された記録紙が所定枚数以上になると、ユーザ指定の外部機器に排紙手段の記録紙を取り除くように通知することを特徴としたものである。
【００２２】
第１４の技術手段は、第１乃至第１３のいずれか１の技術手段において、画像形成手段は、ＩＤ画像データを記録紙両面の同じ位置に印刷することを特徴としたものである。
【００２３】
第１５の技術手段は、第１乃至第１４のいずれか１の技術手段において、ＩＤ画像データはバーコードであることを特徴としたものである。
【発明の効果】
【００２４】
本発明によれば、記録紙にユーザ固有のＩＤ画像を合成印刷し、該ＩＤ画像を読み取って記録紙（印刷物）の取り忘れをユーザに通知する機能を、特別な記録紙搬送手段を備えることなく、簡単な装置構成で実現することができる。
【発明を実施するための最良の形態】
【００２５】
図１は、本発明の一実施形態に係る画像形成装置の要部構成例を示す断面図で、図中、１は画像形成装置示す。画像形成装置１は、大きく分けて、画像読み取り部２、画像形成部３、給紙部４、及び後処理装置５から構成されている。
【００２６】
図１に示すように、画像読み取り部２は、透明ガラスからなる原稿載置台１１と、原稿載置台１１上へ自動的に原稿を供給するための両面対応自動原稿送り装置（ＲＡＤＦ）１２と、原稿載置台１１上に載置された原稿の画像を走査して読み取るための原稿画像読み取りユニット、すなわちスキャナユニット１３とから構成されている。
【００２７】
ＲＡＤＦ１２は、所定の原稿トレイ上に複数枚の原稿を一度にセットしておき、セットされた原稿を１枚ずつ自動的にスキャナユニット１３の原稿載置台１１上へ送給する公知の装置である。そして、ＲＡＤＦ１２は、使用者の選択に応じて原稿の片面または両面をスキャナユニット１３に読み取らせるように、片面原稿のための搬送経路、両面原稿のための搬送経路、搬送経路切り換え手段などから構成されている。
【００２８】
スキャナユニット１３は、原稿面上を露光するランプリフレクタアセンブリと、原稿からの反射光像を電気的画像信号に変換する光電変換素子（ＣＣＤ）１７に導くための第１反射ミラーを搭載した第１走査ユニット１４と、第２，第３反射ミラーを搭載した第２走査ユニット１５と、反射光像をＣＣＤ１７上に結像するための光学レンズ体１６とから構成される。第１走査ユニット１４は原稿載置台１１に沿って左から右へ一定速度Ｖで走行し、第２走査ユニット１５はＶ／２の速度で同一方向に走行するように走査制御される。
【００２９】
これにより、画像読み取り部２では、ＲＡＤＦ１２とスキャナユニット１３の関連した動作によって、原稿載置台１１上に読み取るべき原稿を順次載置させながら、原稿載置台１１の下面に沿ってスキャナユニット１３を移動させて、原稿載置台１１上に載置された原稿の画像を１ライン毎に順次ＣＣＤ１７に結像させて、原稿画像を読み取る。
原稿画像をスキャナユニット１３で読み取ることにより得られた画像データは、各種処理が施された後、図示しないメモリに一旦記憶され、出力指示に応じてメモリから画像データを画像形成部３に出力して、感光体ドラム２２上に可視画像として再現した後、用紙上に画像を転写してトナー像を形成する。
【００３０】
この画像形成部３は、レーザ書き込みユニット（ＬＳＵ）２１および画像を形成するための電子写真プロセス部２０を備えている。レーザ書き込みユニット２１は、メモリから読み出した画像データまたはパーソナルコンピュータ等の外部機器から転送されてきた画像データに応じてレーザ光を出射する半導体レーザ、レーザ光を等角速度偏向するポリゴンミラー、等角速度偏向されたレーザ光が電子写真プロセス部２０の感光体ドラム２２上を等速度で走査するように補正するｆ−θレンズ等を有している。
【００３１】
電子写真プロセス部２０は、周知の態様に従い、感光体ドラム２２の周囲に帯電装置２３、現像装置２４、転写装置２５、剥離装置２６、クリーニング装置２７、除電装置を配置し、さらに感光体ドラム２２の下流側に定着装置２８を配置して構成される。
【００３２】
給紙部４は、第１〜３カセット３１〜３３および手差しトレイ３５を有している。第１カセット３１は、第１のトレイ及び第２のトレイを収容するタンデムトレイで、両トレイを装置本体から同時に引き出し可能となっている。第２カセット３２，第３カセット３３は、それぞれ第３のトレイ、第４のトレイを収容する。つまり、３つのカセット（３１〜３３）に４つのトレイが収容されている。給紙搬送部３６，３７は、給紙部４から感光体ドラム２２と転写装置２５との間の転写位置に用紙を搬送するために、給紙ローラ、搬送ローラ、レジストローラを備えている。
【００３３】
この給紙部４における第１〜３カセット３１〜３３内の４つのトレイには、用紙がサイズ毎に積載されて収容されており、使用者が所望するサイズの用紙が収容されているカセットあるいはトレイを選択すると、そのトレイ内の用紙束の上から１枚ずつ送り出され、給紙搬送部３６，３７の搬送経路を経由して順次電子写真プロセス部２０へ向けて搬送される。
【００３４】
定着装置２８より用紙搬送方向下流側には、用紙排出路２９が設けられており、この用紙排出路２９は後処理装置５の排紙搬送路４１と、両面複写のための再給紙搬送部４２とに分岐している。
【００３５】
レーザ書き込みユニット２１および電子写真プロセス部２０において、メモリから読み出された画像データは、レーザ書き込みユニット２１によってレーザ光線を走査させることにより感光体ドラム２２の表面上に静電潜像として形成され、現像装置２４のトナーにより可視像化されたトナー像は給紙部４から搬送された用紙の表面上に転写装置２５により静電転写され、定着装置２８によって定着される。
【００３６】
このようにして画像が形成された用紙は定着装置２８から後処理装置５へ送られ、あるいは両面複写のための再給紙搬送部４２へと選択的に搬送される。後処理装置５に送られた用紙は、必要に応じてソートあるいはステープル処理等の所定の処理が施され、第１排出卜レイ４３または第２排出卜レイ４４にスタックされる。また、両面複写の再給紙搬送部４２に送られた用紙は、ここで反転され再び電子写真プロセス部２０に搬送されて、用紙の裏面に画像が形成され、定着後排出される。
【００３７】
図１に示す画像形成装置１は、装置本体に第１〜３カセット３１〜３３、および手差しトレイ３５を備え、さらにオプションとして大容量カセット３４を第５のトレイとして付加したものである。大容量カセット３４の内部には、上方に付勢されたエレベータを有し、このエレベータに用紙が堆積され、最上部の用紙が給紙ローラに接触し、給紙ローラを回転することによって用紙を分離して送り出し、装置本体の給紙搬送部３６に合流させる。大容量カセット３４は大容量のトレイであるので、最も使用頻度の高い、例えばＡ４サイズの標準紙を収容することができる。
【００３８】
後処理装置５は、画像形成システムの左側に配置されており、第１排出卜レイ４３と第２排出卜レイ４４が備えられている。第２排出卜レイ４４は、画像形成部３から排出された画像の形成されたシートを、後処理装置５の側面上部に設けられた受け取り排紙搬送路４１によって受け取り、シートがそのままの状態で排出される排出部である。第１排出卜レイ４３は、ステープル，パンチ等選択的に装着される後処理手段４５により後処理が成されたシートが排出される排出部である。後処理装置５において、画像の形成されたシートは、使用者によって選択された第１排出卜レイ４３または第２排出卜レイ４４から排出されるよう構成されている。
【００３９】
画像形成装置１は両面印刷に対応しており、そのための構成について以下に説明する。
画像が記録されたシートは、定着装置２８を経て搬送ローラ６１によりさらに上方搬送され、切換えゲート６５を通過する。そして、シートの排出トレイが画像形成部３の外装に備えられた積載トレイ６３に設定されている場合は、反転ローラ６２により積載トレイ６３に排出される。一方、両面画像形成や後処理が指定されている場合には、一旦反転ローラ６２により積載トレイ６３に向けてシートを排出する。なお、この場合には、シートを完全に排出せず、シートを挟持させたまま反転ローラ６２を逆転させる。そして、上記シートを逆方向、つまり両面画像形成や後処理のために選択的に装着されている再給紙搬送部４２や後処理装置５の装着されている方向に、反転搬送する。
【００４０】
このとき、切換えゲート６５は、図の実線の状態(上向き)から破線の状態(下向き)に切換えられる。両面画像形成を行なう場合は、反転搬送されたシートは、別の切換えゲート６４が上向き（破線）の状態で、再給紙搬送部４２を通り、再び画像形成部３に供給される。一方、後処理が成される場合は、再給紙搬送部４２から別の切換えゲート６４が下向き(実線)の状態で、後処理装置５に搬送され、後処理が成されるようになっている。
【００４１】
本実施形態の画像形成装置１は、記録紙にユーザ固有のＩＤ画像を合成印刷し、ＩＤ画像を読み取って記録紙（印刷物）の取り忘れをユーザに通知する機能を、特別な記録紙搬送手段を備えることなく、簡単な装置構成で実現する。そのために、画像形成装置１は、画像データとユーザ固有のＩＤ画像データとを記録紙に合成印刷する画像形成手段である画像形成部３と、画像形成部３により画像データとＩＤ画像データが合成印刷された記録紙を排紙・堆積させる排紙手段である積載トレイ（以下、排紙トレイ）６３と、排紙トレイ６３に堆積された記録紙のＩＤ画像を読み取る読取手段であるＩＤ画像読取手段５２と、ＩＤ画像読取手段５２を昇降させるための駆動用ローラ（モータ）やベルトなどで構成される昇降手段５１と、排紙トレイ６３上の記録紙の有無を検知する記録紙センサ５３と、各記録紙の端部が互いにずれた状態で整合させる整合手段（パドラ）５４とを備える。
【００４２】
ＩＤ画像読取手段５２は、撮像素子のＣＣＤで構成されるラインセンサあるいはエリアセンサであり、排紙トレイ６３に排紙される記録紙端部のＩＤ画像を読み取り可能な位置に設けられる。
【００４３】
排紙トレイ６３は、各記録紙の端部を当接させＩＤ画像読取手段５２により記録紙端部のＩＤ画像を読み取り可能なように透明な整合面５５１と、整合面５５１に対して傾斜した記録紙載置面５５２とが形成されている。記録紙載置面５５２が整合面５５１に向かって下向きに傾斜しているため、整合面５５１に対して各記録紙を傾斜させ、さらに、整合手段５４により各記録紙端部が互いにずれるように整合される。このように構成することで、排紙トレイ６３は各記録紙端部のＩＤ画像が露出した状態で各記録紙を堆積させることができ、ＩＤ画像読取手段５２が各記録紙のＩＤ画像を精度良く検知することが可能となる。
【００４４】
画像形成部３は、ユーザからの印刷要求を受け付けると、記録紙に画像データを印刷すると共に、記録紙の端部にＩＤ画像データを印刷し、その印刷物を排紙トレイ６３に排紙・堆積させる。そして、ＩＤ画像読取手段５２は、排紙トレイ６３に記録紙が堆積され、整合面５５１に各記録紙の端部が当接した状態で、整合面５５１を介して記録紙端部のＩＤ画像を読み取る。このＩＤ画像データは予めユーザ毎に図示しないメモリに登録されており、例えばユーザが使用するＰＣから印刷要求がなされると、この印刷要求に含まれるユーザ情報からメモリを参照し、そのユーザ情報に対応するＩＤ画像データを特定する。
【００４５】
画像形成装置１は、ＩＤ画像読取手段５２により読み取ったＩＤ画像に対応するユーザ指定の外部機器に排紙トレイ６３の記録紙を取り除くように通知する電子メールなどの通信機能を備える。ここでいう外部機器とは、ユーザが使用するＰＣをはじめ、携帯電話機などの携帯端末であってもよく、画像形成装置１は、ユーザ指定の外部機器の電子メールアドレスをＩＤ画像データに対応付けて予め登録しておく。
【００４６】
なお、記録紙の排出先を排紙トレイ６３ではなく、後処理装置５が備える第１排出トレイ４３あるいは第２排出トレイ４４としてもよい。第１排出トレイ４３は、第１排出トレイ４３を昇降させるための駆動用ローラ（モータ）やベルトなどで構成されるトレイ昇降手段４６１と、第１排出トレイ４３に堆積された記録紙のＩＤ画像を読み取るＣＣＤ（ラインセンサあるいはエリアセンサ）で構成されるＩＤ画像読取手段４７１と、第１排出トレイ４３上の記録紙の有無を検知する記録紙センサ４８１とを備える。同様に、第２排出トレイ４４は、トレイ昇降手段４６２、ＩＤ画像読取手段４７２、及び記録紙センサ４８２を備える。前述の排紙トレイ６３の場合、ＩＤ画像読取手段を昇降させて記録紙端部のＩＤ画像を読み取っていたが、第１排出トレイ４３あるいは第２排出トレイ４４の場合、ＩＤ画像読取手段を固定した状態で、トレイ自体を昇降させて記録紙端部のＩＤ画像を読み取るようにしている。
【００４７】
このように、本実施形態の画像形成装置１は、ＩＤ画像読取手段を昇降させてＩＤ画像を読み取る形態に限らず、ＩＤ画像読取手段を固定した状態で排紙トレイ自体を昇降させてＩＤ画像を読み取る形態としてもよい。
【００４８】
図２は、記録紙に印刷されたＩＤ画像の一例を示す図で、図中、Ｐは記録紙を示す。記録紙Ｐは、図中矢印の排紙方向（記録紙搬送方向）に向かって先端を除く端部３辺のいずれかにＩＤ画像が合成印刷される。これは、記録紙先端にＩＤ画像を合成すると、定着巻きつきを生じやすくなることから好ましくない。よって先端を避けて先端以外の３辺の端部に合成印刷することが望ましい。なお、ＩＤ画像は例えばユーザ固有の識別情報を示すバーコードなどであって、これによって印刷を行ったユーザが特定される。
【００４９】
（第１の実施形態）
図３は、本発明の第１の実施形態に係る画像形成装置１が備えるＩＤ画像読取手段５２の周辺構成例を示す図である。図３（Ａ）はＩＤ画像読取手段５２の周辺構成を示す側面図、図３（Ｂ）は図３（Ａ）に示すＸ部を拡大した図、図３（Ｃ）は図３（Ａ）に示す整合面をＹ方向から見た記録紙Ｐの後端断面を模式的に示した図である。
【００５０】
図３（Ａ）において、複数枚の記録紙Ｐが排紙トレイ６３に排紙・堆積され、各記録紙Ｐは記録紙搬送方向後端にＩＤ画像が印刷されている。各記録紙Ｐの後端は、整合面５５１に当接され、昇降手段５１によりＩＤ画像読取手段５２を昇降させることで、ＩＤ画像読取手段５２により記録紙Ｐの後端に印刷されたＩＤ画像が読み取られる。なお、昇降手段５１は、駆動用ローラ（モータ）と従動ローラからなる駆動系５１ａと、両ローラ間の動力伝達手段であるベルト５１ｂとから構成され、ＩＤ画像を読み取り可能な位置までＩＤ画像読取手段５２を昇降させる。
【００５１】
図３（Ｂ）に示すように、記録紙後端にはＩＤ画像としてバーコードが印刷されるが、このバーコードの印刷部分は、トナーの分だけ記録紙Ｐの厚みよりも厚くなり、さらに、記録紙Ｐに若干量のトナーがしみ込んでいる。複数枚の記録紙Ｐが堆積された状態では、図３（Ｃ）に示すように、その後端断面においてバーコード部分が重なり、当該バーコード部分が黒くなるが、その他の部分が白いため、後端断面に濃淡（コントラスト）がつく。そこで、その後端断面をＩＤ画像読取手段５２によりスキャンすることで、バーコードを精度よく読み取ることが可能となる。
【００５２】
図３（Ｃ）に示すように、排紙トレイ６３に同一ユーザの複数枚の記録紙Ｐを堆積させると、その後端の同じ位置に印刷されたＩＤ画像は略同じ位置で重なる。従って、記録紙Ｐの枚数が多いほど、後端断面におけるＩＤ画像のコントラストが鮮明になるため、ＩＤ画像読取手段５２の読取精度は向上することになる。なお、ＩＤ画像の印刷面は、記録紙Ｐの片面あるいは両面のいずれでもよいが、両面に印刷したほうが、ＩＤ画像の印刷部分が片面に比べて厚くなるため、片面に比べ少ない枚数でも読み取り可能となり、また、同じ枚数であれば片面よりも読み取りやすくなる。
【００５３】
図４は、本発明の第１の実施形態の変形例に係る画像形成装置１が備えるＩＤ画像読取手段５２の周辺構成を示す図である。画像形成装置１は、昇降手段５１の代わりに、排紙トレイ６３を昇降させるトレイ昇降手段５６を備える。このトレイ昇降手段５６により、ＩＤ画像読取手段５２は固定のまま、排紙トレイ６３を昇降させて記録紙後端のＩＤ画像を読み取るように構成されている。なお、トレイ昇降手段５６は、駆動用ローラ５６ａと、排紙トレイ６３を支持し駆動用ローラ５６ａにより昇降する支持部材５６ｂとから構成され、ＩＤ画像を読み取り可能な位置まで排紙トレイ６３を昇降させる。
【００５４】
図５は、本発明の第１の実施形態に係る画像形成装置１が備える制御部の構成例を示す機能ブロック図である。画像形成装置１は、ネットワーク等を介してＰＣなどの外部機器から印刷要求を受け付ける入力部１０１と、装置全体の制御を行う主制御部１０２と、ＩＤ画像データや電子メールアドレスなどのユーザ情報を記憶した記憶部（メモリ）１０３と、画像形成部３の動作を制御する印刷制御部１０４と、昇降手段５１あるいはトレイ昇降手段５６の動作を制御する機構制御部１０５と、ＩＤ画像読取手段５２の動作を制御するＩＤ画像読取制御部１０６と、電子メールなどの通信手段１０８の動作を制御する通信制御部１０７と、各種情報を表示する液晶ディスプレイなどの表示手段１１０の動作を制御する表示制御部１０９とを備える。
【００５５】
主制御部１０２は、各サブ制御部、すなわち、印刷制御部１０４、機構制御部１０５、ＩＤ画像読取制御部１０６、通信制御部１０７、及び表示制御部１０９と接続され、各サブ制御部を統括して装置全体の制御を行う。
【００５６】
入力部１０１がユーザからの印刷要求を受け付けると、印刷制御部１０４が画像形成部３を制御して、記録紙に画像データを印刷すると共に、記録紙の端部にＩＤ画像データを印刷し、その印刷物を排紙トレイ６３に排紙・堆積させる。そして、例えば、排紙トレイ６３に記録紙が放置されてから所定時間（例えば１０分など）経過したとき、機構制御部１０５が昇降手段５１を制御すると共に、ＩＤ画像読取制御部１０６がＩＤ画像読取手段５２を制御して、整合面５５１を介して記録紙端部のＩＤ画像を読み取る。このＩＤ画像データは、前述したように、予めユーザ毎に記憶部１０３に登録されており、例えばユーザが使用するＰＣから印刷要求がなされると、この印刷要求に含まれるユーザ情報から記憶部１０３を参照し、そのユーザ情報に対応するＩＤ画像データを特定する。
【００５７】
そして、通信制御部１０７が通信手段１０８を制御して、ＩＤ画像読取手段５２により読み取ったＩＤ画像に対応するユーザ指定の外部機器に排紙トレイ６３の記録紙を取り除くように通知する電子メールを送信する。なお、外部機器は、ユーザが使用するＰＣをはじめ、携帯電話機などの携帯端末であってもよく、画像形成装置１は、ユーザ指定の外部機器の電子メールアドレスをＩＤ画像データに対応付けて予め記憶部１０３に登録しておく。
【００５８】
ここで、排紙トレイ６３に大量の記録紙を放置したままにすることは、他のユーザに迷惑となる。そこで、排紙トレイ６３に所定枚数（例えば１００枚）以上の記録紙が放置されたときに、当該ユーザ指定の外部機器に通知を行うようにしてもよい。この場合、記憶部１０３にジョブ単位で印刷枚数を記憶しておく。
【００５９】
図６は、本発明の第１の実施形態に係る画像形成装置１によるＩＤ画像読取処理の一例を説明するためのフロー図である。まず、画像形成装置１は、印刷処理終了後にタイマのカウントｔを“０”にセットし（ステップＳ１）、記録紙センサ５３により記録紙Ｐが検知されたかどうかを判定する（ステップＳ２）。記録紙Ｐが検知された場合（ＹＥＳの場合）、記録紙Ｐが放置されてから所定時間ｔ０（例えば１０分）経過したかどうかを判定する（ステップＳ３）。また、ステップＳ２において、記録紙Ｐが検知されない場合（ＮＯの場合）、ステップＳ１に戻り印刷処理の終了待ちとなる。
【００６０】
次に、画像形成装置１は、ステップＳ３において、記録紙Ｐが放置されてから所定時間ｔ０が経過しない場合（ＮＯの場合）、ステップＳ２に戻り処理を繰り返す。また、ステップＳ３において、記録紙Ｐが放置されてから所定時間ｔ０が経過した場合（ＹＥＳの場合）、ＩＤ画像読取手段５２を記録紙最下位位置に移動させる（ステップＳ４）。
【００６１】
次に、画像形成装置１は、ＩＤ画像読取手段５２によりＩＤ画像の読み取り処理を実行し（ステップＳ５）、ＩＤ画像読取データがないかどうか判定する（ステップＳ６）。当該ＩＤ画像読取データが無い場合（ＹＥＳの場合）、直前のＩＤ画像が有るかどうか判定する（ステップＳ７）。直前のＩＤ画像がなければ（ＮＯの場合）、ＩＤ画像読取手段５２を記録紙上面方向に（０.１ｍｍ）移動させる（ステップＳ８）。ここで、直前のＩＤ画像とは、ＩＤ画像読取手段５２が現在位置よりも記録紙下面方向に０.１ｍｍ下側の位置で読み取ったＩＤ画像のことをいう。なお、後述のステップＳ１０，Ｓ１１において同様とする。そして、画像形成装置１は、ＩＤ画像読取手段５２が最上位置に移動したかどうかを判定し（ステップＳ９）、最上位位置に移動した場合（ＹＥＳの場合）、そのまま終了し、最上位位置に移動していない場合（ＮＯの場合）、ステップＳ５に移行して処理を繰り返す。また、ステップＳ７において、直前のＩＤ画像があれば（ＹＥＳの場合）、ステップＳ１３に移行して、直前のＩＤ画像に対応するユーザに電子メールを送信する。
【００６２】
ここで、画像形成装置１は、ステップＳ６において、ＩＤ画像読取データが有るかどうかを判定する。全てのＩＤ画像は、図７（Ａ）に示すように両端に白画像と黒画像の組(白画像１と黒画像２の組及び黒画像１０と白画像１１の組)が位置するように、ＩＤ画像の形式は予め決められている。両端の白画像と黒画像の組の間にユーザ別に設定される白画像と黒画像の組（ユーザＩＤ画像）が位置する配置としている。ＩＤ画像読取データが有るかどうかは、ＩＤ画像読取手段５２の出力について両側の特定の位置に白画像１、黒画像２、黒画像１０、白画像１１が全て存在した場合、ＩＤ画像読取データが有ると判定する。ＩＤ画像読取データが有る場合のＩＤ画像読取手段５２の出力を図７（Ｂ）に示す。
【００６３】
また、ユーザＩＤ画像を含んでいる実際のＩＤ画像の例を図８（Ａ）に示す。両端の１，２、１０，１１の画像位置を除く中央の３〜９の位置の白画像と黒画像の組合せが、ユーザごとに異なるよう設定される。このときのＩＤ画像読取手段５２の出力を図８（Ｂ）に示す。
【００６４】
次に、ステップＳ６において、ＩＤ画像読取データが有る場合（ＮＯの場合）、読み取ったＩＤ画像を記憶部１０３に記憶してから、直前のＩＤ画像が有るかどうか判定する（ステップＳ１０）。直前のＩＤ画像があれば（ＹＥＳの場合）、当該直前に読み取り記憶していたＩＤ画像と比較する（ステップＳ１１）。そしてＩＤ画像に変化があったかどうかを判定する（ステップＳ１２）。ＩＤ画像に変化が無い場合（ＮＯの場合）、ステップＳ８に移行して処理を繰り返す。また、ステップＳ１０において、直前のＩＤ画像がなければ（ＮＯの場合）、同様にステップＳ８に移行して処理を繰り返す。なお、ステップＳ５において最初にＩＤ画像を読み取った場合は、直前のＩＤ画像は記憶されていないので、ステップＳ１０では「ＮＯ」と判定する。また、ステップＳ１２において、ＩＤ画像に変化があった場合（ＹＥＳの場合）、変化する直前のＩＤ画像（後述の図９（Ｂ）に示す)よりユーザを特定し（ステップＳ１３）、当該ユーザに電子メールによる通知を行う（ステップＳ１４）。その後、ステップＳ８に移行して、処理を繰り返す。
【００６５】
図９は、ＩＤ画像読取手段５２が移動するときのＩＤ画像読取手段５２の出力を示す図である。上記ステップＳ１２の処理に関連して、ＩＤ画像読取手段５２の移動前後で出力に変化の無い場合のＩＤ画像読み取り手段５２の出力の例を図９（Ａ）及び（Ｂ）に示す。また、ＩＤ画像読取手段５２の移動前後で出力に変化があった場合のＩＤ画像読み取り手段５２の出力の例を図９（Ｃ）に示す。このように、ＩＤ画像が変化した場合、すなわち、ＩＤ画像読み取り手段５２の出力が図９（Ｂ）に示す状態から図９（Ｃ）に示す状態に変化した場合、図９（Ｂ）に示す変化直前のＩＤ画像のユーザを特定し、当該ユーザに電子メールによる通知を行う。
【００６６】
前述のように、排紙トレイ６３に所定枚数（例えば１００枚）以上の記録紙が放置されたときに、当該ユーザ指定の外部機器に通知を行う場合について以下に説明する。本実施例では、図６に示すステップＳ１４の処理の代わりに、図１０に示すフローを実行する。画像形成装置１は、記憶部１０３にジョブ単位で印刷枚数とユーザを記憶しており、ＩＤ画像よりユーザを特定すると、特定したユーザに対応するジョブを特定し（ステップＳ２１）、特定したジョブにおける印字枚数が１００枚以上かどうか判定する（ステップＳ２２）。ここで、印字枚数が１００枚以上の場合（ＹＥＳの場合）、ユーザへのメール通知を実行する（ステップＳ２３）。一方、印字枚数が１００枚未満の場合（ＮＯの場合）、そのまま終了する。
【００６７】
（第２の実施形態）
図１１は、本発明の第２の実施形態に係る画像形成装置１が備えるＩＤ画像読取手段５２の周辺部を上面から見たときの図である。図１２は、本発明の第２の実施形態に係る画像形成装置１が備えるＩＤ画像読取手段５２の周辺部を正面から見たときの図である。
【００６８】
本実施形態の画像形成部３は、ＩＤ画像データを各記録紙の記録紙搬送方向側端の少なくとも一方に印刷する。図１１においては、記録紙排紙方向に対して左側（図の下側）にバーコードが印刷されているものとする。
【００６９】
排紙トレイ６３は、画像形成部３によりバーコードが印刷された各記録紙側端を当接させる２つの整合板５５ａ，５５ｂを備え、ＩＤ画像読取手段５２は、整合板５５ｂが備える読み取り窓５７を介して排紙トレイ６３に堆積された各記録紙側端のバーコードを読み取る。バーコードを読み取った後の処理は、第１の実施形態と同様であるため、ここでの説明は省略する。
【００７０】
図１２（Ａ）において、画像形成装置１は、２つの整合板５５ａ，５５ｂを傾斜させる整合板駆動手段５８を備える。排紙トレイ６３は、整合板駆動手段５８により各記録紙側端のバーコードが露出した状態で各記録紙を堆積させる。整合板駆動手段５８は、整合板５５ａ，５５ｂを傾斜させるための駆動用ローラ５８ａと、整合板５５ａ，５５ｂを支持する支持部材５８ｂと、駆動用ローラ５８ａからの動力を伝達するベルト５８ｃとから構成される。図１２（Ｂ）に示すように、バーコードの読み取り時に駆動用ローラ５８ａを駆動させると、矢印の方向にベルト５８ｃが回転する。ベルト５８ｃの回転に伴い、支持部材５８ｂに連結された整合板５５ａ，５５ｂが傾斜し、排紙トレイ６３に堆積された記録紙Ｐの側端が互いにずれた状態となる。これにより、各記録紙側端のバーコードが露出した状態になるため、ＩＤ画像読取手段５２は、第１の実施形態と同様に、記録紙端部のバーコードを容易に読み取ることができる。
【００７１】
図１３は、本発明の第２の実施形態に係る画像形成装置１が備える制御部の構成例を示す機能ブロック図である。画像形成装置１は、第１の実施形態の構成と同様に、入力部１０１、主制御部１０２、記憶部１０３、印刷制御部１０４、機構制御部１０５、ＩＤ画像読取制御部１０６、通信制御部１０７、及び表示制御部１０９を備える。図１２（Ａ）に示した整合板駆動手段５８は、機構制御部１０５により制御される。
【００７２】
入力部１０１がユーザからの印刷要求を受け付けると、印刷制御部１０４が画像形成部３を制御して、記録紙に画像データを印刷すると共に、記録紙の端部にＩＤ画像データを印刷し、その印刷物を排紙トレイ６３に排紙・堆積させる。そして、例えば、排紙トレイ６３に記録紙が放置されてから所定時間（例えば１０分など）経過したとき、機構制御部１０５が整合板駆動手段５８と昇降手段５１を制御すると共に、ＩＤ画像読取制御部１０６がＩＤ画像読取手段５２を制御して、読み取り窓５７を介して記録紙端部のＩＤ画像を読み取る。
【００７３】
そして、通信制御部１０７が通信手段１０８を制御して、ＩＤ画像読取手段５２により読み取ったＩＤ画像に対応するユーザ指定の外部機器に排紙トレイ６３の記録紙を取り除くように通知する電子メールを送信する。
【００７４】
図１４は、本発明の第２の実施形態に係る画像形成装置１によるＩＤ画像読取処理の一例を説明するためのフロー図である。まず、画像形成装置１は、印刷処理終了後にタイマのカウントｔを“０”にセットし（ステップＳ３１）、記録紙センサ５３により記録紙Ｐが検知されたかどうかを判定する（ステップＳ３２）。記録紙Ｐが検知された場合（ＹＥＳの場合）、記録紙Ｐが放置されてから所定時間ｔ０（例えば１０分）経過したかどうかを判定する（ステップＳ３３）。また、ステップＳ３２において、記録紙Ｐが検知されない場合（ＮＯの場合）、ステップＳ３１に戻り印刷処理の終了待ちとなる。
【００７５】
次に、画像形成装置１は、ステップＳ３３において、記録紙Ｐが放置されてから所定時間ｔ０が経過しない場合（ＮＯの場合）、ステップＳ３２に戻り処理を繰り返す。また、ステップＳ３３において、記録紙Ｐが放置されてから所定時間ｔ０が経過した場合（ＹＥＳの場合）、整合板５５ａ，５５ｂを傾斜させ（ステップＳ３４）、ＩＤ画像読取手段５２を記録紙最下位位置に移動させる（ステップＳ３５）。以下、ステップＳ３６〜ステップＳ４５までの処理は、前述の図６に示したステップＳ５〜ステップＳ１４までの処理と同様であるため、ここでの説明は省略する。
【００７６】
（第３の実施形態）
図１５は、本発明の第３の実施形態に係る画像形成装置１が備えるＩＤ画像読取手段５２の周辺部を上面から見たときの図である。図１６は、本発明の第３の実施形態に係る画像形成装置１が備えるＩＤ画像読取手段５２の周辺部を正面から見たときの図である。
【００７７】
本実施形態の画像形成部３は、ＩＤ画像データを各記録紙の記録紙搬送方向側端の少なくとも一方に印刷する。図１５においては、記録紙排紙方向に対して左側（図の下側）にバーコードが印刷されているものとする。
【００７８】
排紙トレイ６３は、画像形成部３によりバーコードが印刷された各記録紙側端をガイドする整合板５５ｃと、整合板５５ｃに各記録紙側端が当接するように記録紙Ｐの位置を調整する位置調整手段５９とを備え、ＩＤ画像読取手段５２は、整合板５５ｃが備える読み取り窓５７を介して排紙トレイ６３に堆積された各記録紙側端のバーコードを読み取る。バーコードを読み取った後の処理は、第１の実施形態と同様であるため、ここでの説明は省略する。
【００７９】
位置調整手段５９は、記録紙側端が整合板５５ｃに当接するように記録紙Ｐを押し付ける押付部５９ａを備える。この押付部５９ａが図の矢印方向に移動することで、用紙サイズの異なる記録紙が排紙されてきても、常に整合板５５ｃに各記録紙側端を当接させることができるため、様々な用紙サイズのＩＤ画像を精度良く読み取ることができる。
【００８０】
図１６（Ａ）において、画像形成装置１は、整合板５５ｃを傾斜させる整合板駆動手段５８を備える。排紙トレイ６３は、整合板駆動手段５８により各記録紙側端のバーコードが露出した状態で各記録紙を堆積させる。整合板駆動手段５８は、整合板５５ｃを傾斜させるための駆動用ローラ５８ａと、整合板５５ｃを支持する支持部材５８ｂとから構成される。図１６（Ｂ）に示すように、バーコードの読み取り時に駆動用ローラ５８ａを駆動させると、支持部材５８ｂに連結された整合板５５ｃが傾斜し、排紙トレイ６３に堆積された記録紙Ｐの側端が互いにずれた状態となる。これにより、各記録紙側端のバーコードが露出した状態になるため、ＩＤ画像読取手段５２は、第１，第２の実施形態と同様に、記録紙端部のバーコードを容易に読み取ることができ、さらに、様々な用紙サイズに対応してバーコードの読み取りが可能となる。
【００８１】
これまで説明した各実施形態において、ＩＤ画像読取手段５２は、画像形成部３による画像形成完了後から、排紙トレイ６３に記録紙Ｐが放置された状態で所定時間（例えば１０分）経過したときに、排紙トレイ６３の記録紙Ｐの読み取り処理を実行するようにしてもよく、あるいは、画像形成完了直後に読み取り処理を実行するようにしてもよい。この読み取り処理の実行タイミングはユーザにより設定可能である。
【００８２】
また、排紙トレイ６３に堆積された記録紙Ｐが所定枚数（例えば１００枚）以上になると、ユーザ指定の外部機器に排紙トレイ６３の記録紙を取り除くように通知するようにしてもよい。この通知のタイミングは、ユーザにより設定可能とするが、通知方法は電子メールに限らず、電子メールと同時に表示手段１１０に取り忘れ警告メッセージを表示するようにしてもよい。
【００８３】
以上説明したように、本発明によれば、記録紙にユーザ固有のＩＤ画像を合成印刷し、該ＩＤ画像を読み取って記録紙（印刷物）の取り忘れをユーザに通知する機能を、特別な記録紙搬送手段を備えることなく、簡単な装置構成で実現することができる。
【図面の簡単な説明】
【００８４】
【図１】本発明の一実施形態に係る画像形成装置の要部構成例を示す断面図である。
【図２】記録紙に印刷されたＩＤ画像の一例を示す図である。
【図３】本発明の第１の実施形態に係る画像形成装置が備えるＩＤ画像読取手段の周辺構成例を示す図である。
【図４】本発明の第１の実施形態の変形例に係る画像形成装置が備えるＩＤ画像読取手段の周辺構成を示す図である。
【図５】本発明の第１の実施形態に係る画像形成装置が備える制御部の構成例を示す機能ブロック図である。
【図６】本発明の第１の実施形態に係る画像形成装置によるＩＤ画像読取処理の一例を説明するためのフロー図である。
【図７】ＩＤ画像読取データの有無を判定する方法の一例を説明するための図である。
【図８】実際のＩＤ画像の配置及びＩＤ画像読取手段の出力例を示す図である。
【図９】ＩＤ画像読取手段が移動するときのＩＤ画像読取手段の出力例を示す図である。
【図１０】排紙トレイに所定枚数以上の記録紙が放置された場合に、ユーザ指定の外部機器に通知を行う処理の一例を説明するためのフロー図である。
【図１１】本発明の第２の実施形態に係る画像形成装置が備えるＩＤ画像読取手段の周辺部を上面から見たときの図である。
【図１２】本発明の第２の実施形態に係る画像形成装置が備えるＩＤ画像読取手段の周辺部を正面から見たときの図である。
【図１３】本発明の第２の実施形態に係る画像形成装置が備える制御部の構成例を示す機能ブロック図である。
【図１４】本発明の第２の実施形態に係る画像形成装置によるＩＤ画像読取処理の一例を説明するためのフロー図である。
【図１５】本発明の第３の実施形態に係る画像形成装置が備えるＩＤ画像読取手段の周辺部を上面から見たときの図である。
【図１６】本発明の第３の実施形態に係る画像形成装置が備えるＩＤ画像読取手段の周辺部を正面から見たときの図である。
【符号の説明】
【００８５】
１…画像形成装置、２…画像読み取り部、３…画像形成部、４…給紙部、５…後処理装置、１１…原稿載置台、１２…ＲＡＤＦ、１３…スキャナユニット、１４…第１走査ユニット、１５…第２走査ユニット、１６…光学レンズ体、１７…ＣＣＤ、２０…電子写真プロセス部、２１…レーザ書き込みユニット、２２…感光体ドラム、２３…帯電装置、２４…現像装置、２５…転写装置、２６…剥離装置、２７…クリーニング装置、２８…定着装置、２９…用紙排出路、３１〜３３…カセット、３４…大容量カセット、３５…手差しトレイ、３６，３７…給紙搬送部、４１…排紙搬送路、４２…再給紙搬送部、４３…第１排出トレイ、４４…第２排出トレイ、４５…後処理手段、５１…昇降手段、５２，４７１，４７２…ＩＤ画像読取手段、５３，４８１，４８２…記録紙センサ、５４…整合手段、５６，４６１，４６２…トレイ昇降手段、５５ａ〜５５ｃ…整合板、５５１…整合面、５５２…記録紙載置面、５７…読み取り窓、５８…整合板駆動手段、５９…位置調整手段、６１…搬送ローラ、６２…反転ローラ、６３…積載（排紙）トレイ、６４，６５…切換えゲート、１０１…入力部、１０２…主制御部、１０３…記憶部、１０４…印刷制御部、１０５…機構制御部、１０６…ＩＤ画像読取制御部、１０７…通信制御部、１０８…通信手段、１０９…表示制御部、１１０…表示手段。
【図１】
2008107520.tif 000003
【図２】
2008107520.tif 000004
【図３】
2008107520.tif 000005
【図４】
2008107520.tif 000006
【図５】
2008107520.tif 000007
【図６】
2008107520.tif 000008
【図７】
2008107520.tif 000009
【図８】
2008107520.tif 000010
【図９】
2008107520.tif 000011
【図１０】
2008107520.tif 000012
【図１１】
2008107520.tif 000013
【図１２】
2008107520.tif 000014
【図１３】
2008107520.tif 000015
【図１４】
2008107520.tif 000016
【図１５】
2008107520.tif 000017
【図１６】
2008107520.tif 000018